(57)【要約】      （修正有）【課題】顔から胸元にかけての空間に外気が入り込むことを大幅に抑え、被った人の口から出る息や唾が外部に出ることも大幅に抑え、外気中に漂うウイルスの侵入を少なくし、口から出るウイルスの外気への拡散を少なくする帽子を提供する。【解決手段】帽子１は、外側に向く面にフィルター５を設置した吸気箱４と、吸気箱４と連結されたブロワー３と、外側の面にフィルター５を設置した別のブロワー２と、２つのブロワー２、３と連結された送風分配箱と、送風分配箱に連結された排気管及び排気口９、１０を備える。送風分配箱と排気管と排気口９、１０が帽子本体部分に設けられる。キャップ型帽子１の場合は、鍔部分と帽子本体部分の末端部から、フィルター５を通して吸い込んだ空気を、横方向に切れ目を作ることなく、斜め下方向へ吐き出し、エアカーテンを作る。エアカーテンの内側で、帽子本体内部を換気するための空気を、帽子本体部分の末端部から真下方向に吐き出し、その排気を胸元の吸気箱４から吸い込んで循環させる。【選択図】図１
0003231874.tif 000002
【実用新案登録請求の範囲】
【請求項１】
フィルター、吸気口、吸気管、ブロワー、送風管、送風分配箱、排気管、排気口が繋がっていて、かつ、送風管を帽子鍔部用、帽子本体部用、頭部冷却用に区切っていて、帽子本体の頭頂部で、ブロワーから送られてきた空気を帽子鍔部用、帽子本体部用、頭部冷却用に分岐させ、頭頂部に設けた排気穴から頭部冷却用空気を噴き出し、鍔部と本体部からそれぞれ空気をカーテン状に噴き出す、エアー・シャワー・カーテン装置を取り付けた、そして、頭部冷却用空気がエアー・シャワー・カーテンの内側で循環するようにした帽子。
【請求項２】
帽子本体の頭頂部で、ブロワーから送られてくる空気を帽子鍔部用、帽子本体部用、頭部冷却用に分岐させ、帽子鍔部用空気と帽子本体部用空気を、鍔部と本体部の排気管に送り出し、頭頂部に設けた排気穴から頭部冷却用空気を噴き出す、送風分配箱の構造。
【請求項３】
フィルター、吸気口、ブロワー、排気管、排気口が繋がっていて、フード・カバーの内側から吸った空気を排気口からカーテン状に噴き出すエアー・シャワー・カーテン装置を取り付けて、フード・カバーの開口部を空気カーテンで覆うようにした、そして、カバー内の空気がエアー・シャワー・カーテンの内側で循環するようにしたフード・カバー。
【考案の詳細な説明】
【技術分野】
【０００１】
本考案は、帽子とフード・カバーにエアー・シャワー・カーテン機能を持たせ、食事をする時に、食べ物と食事をする人の空間に、出来る限り外気を入れないようにする方法に関するものである。
【背景技術】
【０００２】
従来の帽子とフード・カバーは、エアー・シャワー・カーテン機能を備えていなかった。
【考案の概要】
【考案が解決しようとする課題】
【０００３】
食事をする時、人間の吐き出す息や唾が、テーブル上の食べ物や向かい側に座った人、さらには周りの人に、かかる。そのことによって、インフルエンザ・ウイルスや新型コロナウイルスが伝染してしまう、という大きな問題が、存在している。
【課題を解決するための手段】
【０００４】
課題を解決するために、エアー・シャワー・カーテン装置を帽子とフード・カバーに取り付け、食事をする時に一組として使うことによって、食べ物と食事をする人の空間に、出来る限り外気を入れないようにした。
【０００５】
ブロワーの吸気口を人の胸元と腰周辺に、そしてフード・カバーの内側に配置し、出来る限り外部の空気を取り入れないようにした。
【考案の効果】
【０００６】
複数人で食事をしても、ウイルス由来の病気にかかりにくくなる。
【０００７】
頭部冷却機能も備えているので、野外の気温が高い所でのスポーツ観戦などにも、役立つ。
【図面の簡単な説明】
【０００８】
【図１】エアー・シャワー・カーテン装置を取り付けた帽子およびフード・カバーの構造概要と、それらを組み合わせることによって、人間の顔周辺とフード・カバー内を、外部空間から遮断することが出来るということ、そして、フード・カバー内の空気を吸ってフード・カバーにエアー・カーテンを作り、胸元の空気を吸って頭頂部に冷却用空気を吹き出すことによって、フード・カバー内と顔周辺に外部空気を流入させないようにすることが出来るということを、表した全景側面図である。
【図２】エアー・シャワー・カーテン装置を取り付けた帽子の内部における、送風管と排気口の配置と、送風の流れおよび排気口から出た後の空気の流れる方向とを表した全体側面図である。
【図３】エアー・シャワー・カーテン装置を取り付けた帽子の内部における、送風管と排気口の配置とを表した全体平面図である。
【図４】帽子内部に送った空気を分岐させる送風分配箱と、その中を流れる空気の流れる向きを表した部分斜視図である。
【図５】エアー・シャワー・カーテン装置を取り付けた帽子の内部の、送風管内での空気の流れと、排気口から出た後の空気の流れを表した全体平面図である。
【図６】帽子本体部に設置する送風排気管と、頭頂部に噴き出した空気の通り道を確保するためのスペーサーとを、組み合わせた箇所の断面を表わす斜視図である。
【図７】帽子本体部に設置する送風排気管と、頭頂部に噴き出した空気の通り道を確保するためのスペーサーとが、帽子の内側の布カラーの中に納まっている状態を表した拡大断面図である。
【図８】帽子の内側の布カラーの形状を表わすために、布カラーの部分のみを帽子の下から見た全体平面図である。
【図９】エアー・シャワー・カーテン装置を取り付けた帽子の、内側に付いた布カラーの形状を分かりやすく表した部分拡大斜視図である。
【図１０】エアー・シャワー・カーテン装置を取り付けた、周囲が全部鍔になっている帽子における排気口の形状と配置、および、送風が排気口から出た後の、空気の流れる向きを表した全体斜視図である。
【図１１】エアー・シャワー・カーテン装置を取り付けたフード・カバーと、空気の流れを表した全体側面図である。
【図１２】エアー・シャワー・カーテン装置を取り付けるための、フード・カバーの枠と透明プラスチック・カバーを表した全体斜視図である。
【図１３】フード・カバーの外側に取り付ける、エアー・シャワー・カーテン装置のブロワーと送風管、排気口の形状の一例、および、排気口から出た空気の流れる向きを表した正面斜視図である。
【図１４】エアー・シャワー・カーテン装置を取り付けたフード・カバーの全景と、排気口から出た空気の流れを表した全体正面図である。
【考案を実施するための形態】
【０００９】
本考案の基本方針は、人の顔周辺とフード・カバー内に外部空気を出来るだけ入れないということなので、腰周辺で吸った空気を帽子から斜め下側に、カーテン状になるように排気して、それとは別の頭部を冷却した空気を胸の周辺で吸うようにし、カーテン状の排気の内側で頭部冷却用空気が循環するサイクルを作り上げる。
【００１０】
フード・カバー内で吸った空気を、カバー開口部から斜め下側に、カーテン状になるように排気して、なおかつ、吸った空気の一部を、外部空気に触れない状態で、カーテン状の排気の内側でカバー開口部から真下側に排気するようにし、カーテン状の排気の内側でカバー内部の空気が循環するサイクルを作り上げる。そのために、排気の流れが開口部の真下と斜め外側下の２方向に分かれるようにするなど排気口端部の形状を工夫し、かつ吸気口の位置と面積を適切なものにして、エアー・シャワー・カーテンがテーブルまで届くようにする。
【００１１】
フード・カバーを食事をする人のそばに引き寄せると、帽子から出るエアー・シャワー・カーテンの空気がフード・カバー開口部の上側に流れるので、顔周辺とフード・カバー内が外部空気から遮断された１つの空間になる。そうするために、エアー・シャワー・カーテン装置付きの帽子とエアー・シャワー・カーテン装置付きのフード・カバーを適度に近づけて使用する。
【実施例】
【００１２】
本考案のエアー・シャワー・カーテン装置は、フィルター、吸気口、吸気管、ブロワー、送風管、送風分配箱、排気管、排気口が繋がったものであるので、一連のつながった部品の内部に、空気抵抗となる突起などを作らないようにし、かつ、それぞれの部品が外れないようにする。
【００１３】
吸気口、吸気管、送風管、送風分配箱、排気管、排気口を、衝撃や曲げによって壊れないように、樹脂や軟質プラスチックの材料で作り、各部品が引っ張った時に外れないように、そして空気が漏れないように、部品接続部の形状と接続方法を工夫する。
【００１４】
帽子鍔用送風管と帽子本体部用送風管と頭部冷却用送風管を合わせて、１本の集合管にして、嵩張らないようにする。
【００１５】
送風管が腰から帽子に通っていて、頭部に荷重がかかるので、送風管の肩の部分に滑り止めかフックを付けて、肩で荷重 を支え、ぶらつきを抑える。
【００１６】
胸元に設置する吸気口からブロワーまで伸びる吸気送風管を、帽子まで伸びる集合管に、肩辺りまで一緒に束ねて、肩から下げたり胸ポケットに引っかけたり出来るようにする。  
【００１７】
本考案に用いるフィルターを、新型コロナウイルスを出来るだけ通さない高性能のものにする。
【００１８】
吸気口のフィルターで吸気量が減っても送風量が減らないように、吸気口の吸気面積を適切にする。
【００１９】
帽子用ブロワーには、帽子から出るエアー・シャワー・カーテンつまり排気流の長さが、下方の腰辺りまで届くような、そしてフード・カバー開口部の上部に届くような排気力を有するものを用いる。
【００２０】
帽子用排気口の幅を、エアー・シャワー・カーテンにすき間が生じないで、下方の腰辺りまで届くように、調整する。
【００２１】
頭部冷却用空気の通り道を確保するためのスペーサーを、帽子本体部排気管に接着させて、あるいは排気管と一体化して作る。
【００２２】
排気口の形状を、エアー・シャワー・カーテンが斜め下方に流れ出るように、そして不快な風切音が出ないように、曲面にするなど工夫する。
【００２３】
帽子本体の天井部に、帽子本体用排気管に空気を送るための送風分配箱と、頭部冷却用の空気を頭頂部に噴き出すための排気穴とを設置して、送風をそれぞれの箇所に分配する。
【００２４】
フード・カバー用ブロワーには、カバー上部から出るエアー・シャワー・カーテンつまり排気流の長さが、フード・カバー開口部の下端まで届いて、かつ外側に流れ出るような排気力を有するものを用いる。
【００２５】
フード・カバー用ブロワーはカバー内に溜まった空気を吐き出す機能を有するので、カバーの外側の外部空気を吸い込まないようにするために、排気の流れが開口部の真下と斜め外側下の２方向に分かれるようにするなど排気口端部の形状を工夫し、かつ吸気口の位置と面積を適切なものにして、ブロワーを出てからまだ外側の外部空気に触れていない排気の一部を吸気するサイクルを作り上げ、かつエアー・シャワー・カーテンがテーブルまで届くようにする。
【産業上の利用可能性】
【００２６】
本考案の帽子とフード・カバーとを、レストランや寮の食堂などで使用することは、インフルエンザや新型コロナウイルスの予防に貢献すると考えられるので、機械メーカーなどが製作できる。
【符号の説明】
【００２７】
１  エアー・シャワー・カーテン装置を取り付けた帽子
２  エアー・シャワー・カーテン用の空気を送り出すための高性能フィルター付きブロワ―
３  頭部冷却用の空気を送り出すためのブロワ―
４  頭部冷却用の空気を吸い込むための吸気口
５  ４に設置する高性能フィルター
６  ３に空気を送るための吸気送風管
７  エアー・シャワー・カーテン用の空気を排気口に送り出すための送風管
８  頭部冷却用の空気を排気口に送り出すための送風管
９  帽子鍔部に設置したエアー・シャワー・カーテン用空気の排気口
１０  帽子本体部に設置したエアー・シャワー・カーテン用空気の排気口
１１  エアー・シャワー・カーテン装置を取り付けたフード・カバー
１２  フード・カバー用ブロワー
１３  １２に取り付ける高性能フィルター
１４  フード・カバー用エアー・シャワー・カーテンに用いる空気の排気管
１５  帽子の本体部分
１６  帽子の鍔部分
１７  帽子本体用排気管に空気を送るための送風分配箱
１８  頭部冷却用の空気を頭頂部に噴き出すための排気穴
１９  帽子鍔部用排気管に接続する、鍔部エアー・シャワー・カーテン用空気を送り出す送風管
２０  頭頂部に吹き出た空気の、通り道を確保するためのスペーサー
２１  帽子本体の内側に付いている布カラー
２２  ２１の一部を構成する、紐状になった布カラーの底面部
２３  エアー・シャワー・カーテン装置を取り付けた、周囲が全部鍔になっている帽子
２４  エアー・シャワー・カーテン装置を取り付けたフード・カバーの骨格枠
２５  エアー・シャワー・カーテン装置を取り付けたフード・カバーの、透明プラスチック・カバー
【図１】
0003231874.tif 000003
【図２】
0003231874.tif 000004
【図３】
0003231874.tif 000005
【図４】
0003231874.tif 000006
【図５】
0003231874.tif 000007
【図６】
0003231874.tif 000008
【図７】
0003231874.tif 000009
【図８】
0003231874.tif 000010
【図９】
0003231874.tif 000011
【図１０】
0003231874.tif 000012
【図１１】
0003231874.tif 000013
【図１２】
0003231874.tif 000014
【図１３】
0003231874.tif 000015
【図１４】
0003231874.tif 000016
【手続補正書】
【提出日】令和3年1月15日(2021.1.15)
【手続補正１】
【補正対象書類名】明細書
【補正対象項目名】全文
【補正方法】変更
【補正の内容】
【考案の詳細な説明】
【技術分野】
【０００１】本考案は、既存のフード・カバーの内側と会食する人の顔から胸元にかけての空間に、外気を極力侵入させない状態を作り上げる帽子に、関するものである。
【背景技術】
【０００２】本考案と同等の帽子は、いまだ開発されていない。
【考案の概要】
【考案が解決しようとする課題】
【０００３】会食する時に人間の吐き出す息や唾が、テーブルの上の食べ物や向かい側に座った人、さらには周囲の人にかかることによって、インフルエンザや新型コロナのウイルスが伝染してしまう、という大きな問題が存在している。
【課題を解決するための手段】
【０００４】課題を解決するために、  帽子本体の一部に鍔を付けたキャップ型帽子の場合は、鍔部分と本体部分の末端部から、帽子本体の全周囲に鍔を付けたハット型帽子の場合は、鍔部分の末端部からと、帽子外縁部分の末端部から、フィルターを通して吸い込んだ空気を、横方向に切れ目を作ることなく、斜め下方向へ吐き出し、エアー・カーテンを作り、そのエアー・カーテンの内側で、帽子本体内部を換気するための空気を、帽子本体部分の末端部から真下方向へ吐き出し、その排気を胸元の吸気箱から吸い込んで再び帽子本体部へ送り、本体内部を換気してから吐き出して循環させる装置を、帽子に設置した。【０００５】 既存のフード・カバーを置いたテーブルの前に座った人が、本考案の帽子を被って会食することにより、帽子末端部から吹き出す空気がエアー・カーテンを作りフード・カバーを覆い、フード・カバー内部と座った人の顔から胸元にかけての空間を、外気から遮断する。【０００６】ウイルスを通さないフィルターを付けている本考案の帽子を被ることにより、既存フード・カバーの内部と、座った人の顔から胸元にかけての空間に、ウイルスを極力入れないことと、本考案帽子を被った人が、エアー・カーテンの内側において、循環する帽子本体内部用空気を吸うことにより、帽子を被った人の息や唾を極力外気に出さないこと、および、帽子本体内部換気用空気を頭頂部に吐き出すことにより、夏場には帽子を被った人の頭部を冷却することとを、同時に行う。
【考案の効果】
【０００７】本考案の帽子を被ることにより、顔から胸元にかけての空間に外気が入り込むことを大幅に抑え、被った人の口から出る息や唾が外部に出ることも大幅に抑えるので、外気中に漂うウイルスの侵入を少なくし、口から出るウイルスの外気への拡散を少なくする。【０００８】それだけでなく、フィルター付きのブロワーから吸い込んだ空気を頭頂部に吐き出し、夏場には頭部を冷却するので、夏に屋外でスポーツ観戦をする時に熱中症になるリスクを少なくする。
【図面の簡単な説明】
【０００９】
【図１】図１は、フィルターを通して吸い込んだ空気を、帽子の鍔と本体の末端部つまり外縁部分の末端部から、横方向に切れ目を作ることなく、斜め下方向へ吐き出し、エアー・カーテンを作り、そのエアー・カーテンの内側で、帽子本体の内部を換気するための空気を、本体の末端部から真下方向へ吐き出し、その排気を胸元の吸気箱から吸い込んで再び帽子本体部へ送り、本体内部を換気してから吐き出して循環させる装置を、備えた本考案の帽子１を被った時に、既存のフード・カバー４６の内部と顔から胸元にかけての空間に、外気を極力侵入させない状態になることを表した、全景側面図である。
【図２】図２は、エアー・カーテン装置を備えた本考案帽子１の本体部分内部に、ブロワーで吸い込んだ空気を送るための送風管７と送風管８と、送風分配箱１１と排気管１２と排気管１３とをつなげて設置した時の状態を表し、かつ、帽子１の本体部分１６の内部における空気の流れと、帽子外縁部分の末端排気口９と１０および本体部分１６の末端のスペーサー２８の隙間から、外へ吐き出した空気の流れを表した、全体側面図である。
【図３】図３は、エアー・カーテン装置を備えた本考案帽子１の内部に、送風分配箱１１と帽子鍔部排気管１２と帽子本体部排気管１３、および吸い込んだ空気を吐き出してエアー・カーテンを作るための排気管末端部の排気口９と排気口１０を設置した時の状態を表す、本考案帽子１を下から見上げた時の全体平面図である。
【図４】図４は、エアー・カーテン装置を備えた本考案帽子１の送風分配箱１１と鍔部用排気管１２と本体部用排気管１３と１１の底に開けた排気穴１４の中の空気の流れ、および帽子外縁部分の末端部排気口から吐き出した空気の流れを表す、本考案帽子１を下から見上げた時の説明用全体平面図である。
【図５】図５は、本考案帽子１の装置の一部である送風分配箱１１の構造を表す、全体斜視図である。
【図６】図６は、送風分配箱１１の中における、吸い込んだ空気の流れる方向を表す、説明用全体斜視図である。
【図７】図７は、送風分配箱１１の入り口部分の構造を表す、部分斜視図である。
【図８】図８は、入り口部分の形状を曲面にした分配箱１１の入り口部２４の構造を表し、かつ、送風分配箱１１に入った空気の流れる方向を表す、部分斜視図である。
【図９】図９は、本考案帽子１の本体部用排気管１３と、１３と一体になっている帽子本体内部換気用空気の通り道を確保するためのスペーサー２８の構造、および１３と２８の中の空気の流れを表す、部分拡大斜視図である。
【図１０】図１０は、本考案帽子１の鍔部用排気管１２の構造と、１２の内部での空気の流れを表す、全体斜視図である。
【図１１】図１１は、本考案帽子１の、エアー・カーテン用空気を吸い込むためのブロワー２と、帽子本体内部換気用空気を吸い込むためのブロワー３の構造、および、それらに送風管６、送風管７、送風管８が接続する場所と、ブロワーのスイッチ２９、スイッチ３０と、ブロワー用のバッテリー３２の配置を表す、全体斜視図である。
【図１２】図１２は、本考案帽子１のブロワー３へ空気を送るための吸気箱４の構造、およびブロワー３へ空気を送る送風管６とそれ以外の送風管７、送風管８の配置状態を表す、全体斜視図である。
【図１３】図１３は、吸い込んだ空気を吐き出しやすくするために、本考案帽子１の布カラー１７の底面を紐状にして隙間を大きくした構造を表す、本考案帽子１を下から見上げた時の全体平面図である。
【図１４】図１４は、本考案帽子１の布カラー１７の底面１８の構造を表す、部分拡大斜視図である。
【図１５】図１５は、本考案帽子１の布カラー１７の内側に、帽子本体部用排気管１３とそれと一体になった帽子本体内部換気用空気の通り道を確保するためのスペーサー２８とが収まった状態、および空気の流れを表す、部分拡大断面図である。
【図１６】図１６は、本考案帽子１の本体部分１６の周囲すべてに鍔部分１５を付けて、帽子の外側形状をハット型にして、その外側ハット３２に、フィルターを通して吸い込んだ空気を、帽子の鍔と本体の末端部から、横方向に切れ目を作ることなく、斜め下方向へ吐き出し、エアー・カーテンを作り、そのエアー・カーテンの内側で、帽子本体の内部を換気するための空気を、本体部分の末端部から真下方向に吐き出し、その排気を胸元の吸気箱４から吸い込んで再び帽子本体部へ送り、本体内部を換気してから吐き出して循環させる装置を、設置した時の、装置の配置と空気の流れを表す、全体側面図である。
【図１７】図１７は、外側形状をハット型にした本考案帽子１の内部に収める、送風分配箱３３の構造を表す、全体斜視図である。
【図１８】図１８は、送風分配箱３３の内部における空気の流れを表す、説明用全体斜視図である。
【図１９】図１９は、外側形状をハット型にした本考案帽子１に用いる、送風分配箱３３と排気管３４とをつなげた時の構造を表す、全体斜視図である。
【図２０】図２０は、外側形状をハット型にした本考案帽子１に用いる送風分配箱３３と排気管３４とをつなげた状態における、内部の空気の流れを表す、説明用全体斜視図である。
【考案を実施するための形態】
【００１０】フィルターを通して吸い込んだ空気を、帽子の鍔部分と本体部分の末端部つまり外縁部分の末端部から、横方向に切れ目を作ることなく、斜め下方向へ吐き出し、エアー・カーテンを作り、そのエアー・カーテンの内側で、帽子本体の内部を換気するための空気を、本体部分の末端部から真下方向へ吐き出し、その排気を胸元の吸気箱から吸い込んで再び帽子本体部へ送り、本体内部を換気してから吐き出して循環させるために、胸元にフィルターを付けた吸気箱を設置し、吸気箱から吸い込んだ帽子本体内部換気用空気を頭部へ送るためのバッテリーを備えたブロワーと、それとは別のエアー・カーテン用の空気を吸い込んで頭部へ送るためのフィルターを付けてバッテリーを備えたブロワーの二つを並べて、腰部分に設置する。
【００１１】フィルターを通した空気を、本考案帽子の外縁部分の末端部から吐き出しエアー・カーテンを作る空気と、頭頂部から吐き出して帽子本体の内部を換気する空気とに分けるために、帽子本体の内部に送風分配箱を設置する。
【００１２】吸気箱とブロワーとの間に送風管を設置し、さらにブロワーと送風分配箱との間にも送風管を設置し、吸い込んだ空気を吹き出す排気管と送風分配箱とを連結して、排気管末端部の排気口から空気を横方向に切れ目を作らずに斜め下方向へ吐き出すために、鍔部排気口の上部を斜め下側に曲面状に曲げ、本体部排気口を斜め下方向に向ける。
【００１３】 以上の工程によって、フィルターを通して吸い込んだ空気を、帽子の鍔部分と本体部分の末端部つまり外縁部分の末端部から、横方向に切れ目を作ることなく、斜め下方向へ吐き出し、エアー・カーテンを作り、そのエアー・カーテンの内側で、帽子本体の内部を換気するための空気を、本体部分の末端部から真下方向へ吐き出し、その排気を胸元の吸気箱から吸い込んで再び帽子本体部へ送り、本体内部を換気してから吐き出して循環させる装置を、備えた本考案帽子を完成させる。
【実施例】
【００１４】フィルターを通して吸い込んだ空気を、キャップ型帽子の場合は帽子の鍔部分と本体部分の末端部から、そしてハット型帽子の場合は鍔部分の末端部から、つまり外縁部分の末端部から横方向に切れ目を作ることなく、斜め下方向へ吐き出し、エアー・カーテンを作り、そのエアー・カーテンの内側で、帽子本体の内部を換気するための空気を、本体部分の末端部から真下方向へ吐き出し、その排気を胸元の吸気箱から吸い込んで再び帽子本体部へ送り、本体内部を換気してから吐き出して循環させて、図１と図２に示す空気の流れを作り出す本考案装置の一部である吸気箱４を、軽量のプラスチック素材を用いて、図１２に示すとおり薄い箱形にして作り、送風管７と送風管８とに既存の接続器具を用いて連結して固定する。【００１５】吸気箱４の外側に向く面に、ウイルスを通さない既存のフィルターを設置するので、フィルターに切れ目を入れてあり、使用後に切れ目に沿って切り取って捨てるタイプの既存のロール式フィルターを設置する吸気箱構造にするとともに、手を傷つけないために吸気箱４の角になる部分に面取りを施す。【００１６】本考案装置の一部である腰部分に設置するブロワー２とブロワー３を、図１１に示すとおり連結し、側面または上部面にそれぞれのスイッチ２９と３０を付けて、それぞれの単独使用も出来る方式にして、既存のロール式フィルターを付けるブロワー２には、吸気箱４のフィルター５と同じ機能を持たせる。【００１７】ブロワー２とブロワー３には既存の小型ブロワーを使用して、図１１に示すとおり２と３を一体化するためのブロワー箱４３を軽量のプラスチック素材を用いて箱形にして作り、ブロワー２とブロワー３の底面部に、既存の携帯バッテリー４２を装着するとともに、手を傷つけないためにブロワー箱４３の角になる部分に面取りを施して、４３の裏側面に既存の紐あるいは既存のベルトを既存の接続器具を用いて接続し、その紐あるいはベルトを締めて腰部分に固定する。【００１８】本考案装置の一部である送風分配箱１１を、図６に示す空気の流れを作り出すために図５に示す構造にして、軽量のプラスチック素材を用いて作り、ブロワー２で吸い込んだ空気の一部を本考案帽子の鍔部分の排気管１２へ、そして残りの空気を本体部分の排気管１３へ送り、ブロワー３で吸い込んだ空気を送風分配箱１１の底面に開けた排気穴１４へ送るが、そのために図５と図７と図８に示すとおり、１１の内部を排気管１２用の管１９と排気管１３用の管２０と排気穴１４用の管２１とに仕切る。【００１９】送風分配箱１１の入口部の内部を図７に示すとおり排気管１２用の管１９と排気管１３用の管２０と排気穴１４用の管とに仕切り、送風管７を受ける受け口２２と送風管８を受ける受け口２３とを設置し、形状を図７に示す形か図８に示す曲面の形のいずれかにして、吸い込んだ空気を図８に示す流れにして、送風分配箱１１の中に送り込む。【００２０】 本考案分配箱１１の入口部を図７あるいは図８に示す構造にして、１１の内部の空気の流れを図６に示すとおり排気管１２に向かう流れと排気管１３に向かう流れと排気穴１４に向かう流れとに分ける。【００２１】 本考案装置の一部である吸気箱４とブロワー３と送風分配箱１１とをつ���ぐため、それからブロワー２と送風分配箱１１とをつなぐために、図１に示すとおり４と３の間に吸気送風管６を、２と１１の間に送風管７を、そして３と１１の間に送風管８を設置し、送風管を嵩張らなくするために図１に示すとおり７と８を一体化し、６の一部も７と８に添わせて、かつ、内部空気が部品接続部から漏れない構造にして、６と７と８とを軽量で柔軟性のあるプラスチック素材または樹脂素材を用いて作り、６と７と８とを支えて６と７と８のふらつきを抑えるため、図１に示すとおり鉤型の形状にし軽量のプラスチック素材を用いて作った肩掛け４４を、既存の接続器具を用いて７と８とに連結し固定して、肩部分に設置する。【００２２】フィルターを通して吸い込んだ空気を、キャップ型帽子の場合は帽子の鍔部分と本体部分の末端部から、そしてハット型帽子の場合は鍔部分の末端部から、つまり外縁部分の末端部から横方向に切れ目を作ることなく、斜め下方向へ吐き出し、エアー・カーテンを作るために、図３に示すとおり本考案帽子１の一部である鍔部排気管１２を送風分配箱１１に接続して、図２に示すとおり１２の末端部の排気口９の上部を斜め下に曲げて曲面にするとともに、図１０に示すとおり１２の内部を根元から曲線状に枝分かれさせて、１２と１１の接続部から内部空気が漏れない構造にして、排気管１２全体を軽量のプラスチック素材を用いて作る。【００２３】 排気管１２の上部面と本考案帽子１の鍔部分１５の天井部とに、マジックテープ（商標登録）と同等のセットで着脱させるシートを張り付けて、１２を１５に固定する。【００２４】 フィルターを通して吸い込んだ空気を、キャップ型帽子の場合は帽子の鍔部分と本体部分の末端部から、そしてハット型帽子の場合は鍔部分の末端部から、つまり外縁部分の末端部から横方向に切れ目を作ることなく、斜め下方向へ吐き出し、エアー・カーテンを作るために、図３に示すとおり本考案装置の一部である本体部排気管１３を送風分配箱１１に接続するとともに、図２と図３に示すとおり１３の内部を根元から曲線状に枝分かれさせて、１３の末端部の排気口１０を斜め下方向に向けて、１３と１１の接続部から内部空気が漏れない構造にして、排気管１３全体を軽量のプラスチック素材を用いて作る。【００２５】 図１０に示すとおり排気管１２を薄型の構造にし、排気管１３も同等の薄い構造にして、１３を作る場合は、図９に示すとおり内部に薄い空間を作り、かつ、空気の流れを図９に示すとおりにするために、排気穴１４から吐き出した帽子本体内部換気用空気を頭に沿って流下させ帽子本体部分の末端部から真下方向に吐き出すための通り道を確保するスペーサー２８を、１３と同じ素材を用いて作り、１３の内側に一体化させて設置する。【００２６】送風分配箱１１と鍔部用排気管１２と、スペーサー２８と一体になった本体部用排気管１３とを接続して、ブロワー２とブロワー３とで吸い込んだ空気を、図２と図４と図１０に示す流れにする。【００２７】 本考案帽子１の本体部分１６の内側にある布カラー１７の底面部１８を、図１４に示すとおり紐状にし、図１３に示すとおり紐状の形を１７の全体に施して、１７の内側にスペーサー２８と一体になった排気管１３を図１５に示すとおり差し込む。【００２８】 １３と２８とを布カラー１７の内側に差し込むことにより、１７が１３と２８と送風分配箱１１を支え、布カラーの底面部１８を紐状にすることにより、１３の内部と２８の隙間を通った空気を横方向に切れ目を作ることなく吐き出し、帽子の周辺にエアー・カーテンを作る。【００２９】 以上の工程により作成した、エアー・カーテンの内側で帽子本体内部換気用空気を循環させる装置を、ブロワー２とブロワー３に取り付けたスイッチ２９とスイッチ３０を入れることによって作動させ、２９と３０をそれぞれ単独でも入れることが出来る配線構造にして、２９と３０を同時に入れるとエアー・カーテンの内側で帽子本体内部換気用空気を循環させ、２９だけを入れるとエアー・カーテンだけを作り、３０だけを入れると帽子本体内部を換気し、夏場に帽子を被った人の頭部を冷却する仕組みにする。【００３０】次に、本考案帽子１の鍔部分を大きくして形状をハット型にする場合にも、キャップ型帽子と同等の機能を持たせるために、送風分配箱１１の内部管１９と内部管２０とを合体させた内部管４０を持つ送風分配箱３３を、図１７に示す構造にし、排気穴３５を１１と同じ構造にして、軽量のプラスチック素材を用いて作る。【００３１】送風分配箱３３の内部を、図１７に示すとおり、吸い込んだ空気を排気管３４に送るための内部管４０と、排気穴３５に送るための内部管４１とに仕切り、送風管７を受ける受け口３８と送風管８を受ける受け口３９とを設置し、図１８に示すとおりの空気の流れを作り出す。【００３２】 本考案帽子１の鍔部分を大きくして形状をハット型にする場合はその形に合わせて、排気管３４を図１９に示すとおり鍔部分末端部の全周に渡って空気を吐き出す形状にし、３４の末端部排気口３７の上部を斜め下に曲げて曲面にするとともに、３４の内部を図９に示す構造にして、キャップ型帽子の場合と同じくスペーサー２８を３４と一体化して、軽量のプラスチック素材を用いて作る。【００３３】 本考案帽子１の鍔部分を大きくして形状をハット型にする場合は、外側ハット３２の形に合わせた形状の排気管３４を作るが、それに伴ってスペーサー２８をハット本体部分の末端まで伸ばし、本体内部換気用空気を本体部分の末端部から真下方向へ吐き出す。【００３４】 送風分配箱３３と排気管３４とを接続したときの形状を図１９に示しているが、その状態でブロワーから吸い込んだ空気を３３に送り、空気の流れを図２０に示す流れにして、排気口３７と排気穴３５の形状とスペーサー２８の断面形状を、本考案帽子１の形状をキャップ型にした場合と同じにし、空気を３７から斜め下方向へ吐き出して、外側ハット３２の鍔部の周りに横方向に切れ目を作ることなくエアー・カーテンを作り出す。【００３５】 本考案帽子１の鍔部分を大きくして形状をハット型にする場合は、ハットに布カラーが付いていないので、外側ハット３２の内側壁面と排気管３４の上面に、マジックテープ（商標登録）と同等のセットで着脱させるシートを貼り付けて、３４を３２の内側に固定する。【００３６】 本考案帽子１の鍔部分を大きくして形状をハット型にする場合も、本考案帽子１の形状をキャップ型にした場合と同じブロワーとスイッチを使用し、二つのブロ��ーを同時に使うこともそれぞれ単独で使うことも出来る配線構造にする。【００３７】 本考案帽子１の鍔部分を大きくして形状をハット型にする場合も、キャップ型帽子と同じく、吸気箱４と送風管６とブロワー３と送風管８と送風分配箱３３とを、そして、ブロワー２と送風管７と送風分配箱３３とを連結し、フィルターを通して吸い込んだ空気を鍔部分全周の末端部から、つまり外縁部分の末端部から横方向に切れ目を作ることなく、斜め下方向へ吐き出し、エアー・カーテンを作り、そのエアー・カーテンの内側で、帽子本体内部を換気するための空気を、本体部分の末端部から真下方向へ吐き出し、その排気を胸元の吸気箱から吸い込んで再び帽子本体部へ送り、本体内部を換気してから吐き出して循環させる。【００３８】 本考案帽子の吸気箱４において、本体内部換気用空気を帽子本体部分の末端部から真下方向に吐き出した時に、その排気を吸気箱まで届けることが出来る風量を確保するために必要な吸気面積にする。【００３９】本考案帽子のブロワー２を、エアー・カーテン用空気を帽子外縁部末端の排気口から斜め下方向に吐き出した時に、その排気を腰周辺に設置するフィルター付きブロワー２まで届けることが出来る吸排気力を有するものにし、ブロワー３を、本体内部換気用空気を帽子本体部分の末端部から真下方向へ吐き出した時に、その排気を吸気箱４まで届けることが出来る吸排気力を有するものにする。
【産業上の利用可能性】
【００４０】本考案帽子はインフルエンザや新型コロナウイルスの予防に貢献するので、レストランや食堂などで、既存のフード・カバーとセットで使用することが出来き、本考案帽子は帽子本体部分の内部を換気し、夏場には頭部を冷却するので、夏に屋外でスポーツ観戦をする時にも使用することが出来るので、多用途帽子としての製造が可能である。
【符号の説明】
【００４１】１  フィルターを通して吸い込んだ空気を、帽子本体の一部に鍔が付いているキャップ型帽子の場合は帽子の鍔部分と本体部分の末端部から、帽子本体の周囲全部に鍔が付いているハット型帽子の場合は鍔部分の末端部からと、帽子外縁部分の末端部から横方向に切れ目を作ることなく、斜め下方向へ吐き出し、エアー・カーテンを作り、そのエアー・カーテンの内側で、帽子本体内部を換気するための空気を、本体部分の末端部から真下方向へ吐き出し、その排気を胸元の吸気箱から吸い込んで再び帽子本体部へ送り、本体内部を換気してから吐き出して循環させる装置を、備えた本考案の帽子。２  外気を吸い込み、その空気を頭部の送風分配箱１１に送り、さらに本考案帽子の末端部排気口９と１０から吐き出しエアー・カーテンを作り出すための、フィルター５を備えたブロワー。３  本考案帽子１の本体部排気管１３の内側に一体化させて設置したスペーサー２８の隙間から吐き出した排気を、吸気箱４から吸い込んで、その空気を送風分配箱１１に送り、送風分配箱１１の底に開けた排気穴１４から頭頂部に吹き出して頭部を換気してから、スペーサー２８の隙間を通して再び排気するためのブロワー。４  本考案帽子１の本体部スペーサー２８の隙間から出た排気を吸い込み、ブロワー３に送るための、フィルターを備えた吸気箱。５  ブロワー２及び吸気箱４に取り付ける、ウイルスを通さない、そして使った部分を切り取って処分することが出来るロールタイプの既存フィルター。６  吸気箱４から吸い込んだ空気をブロワー３へ送るための送風管。７  ブロワー２から吸い込んだエアー・カーテン用の空気を送風分配箱１１へ送るための送風管。８  吸気箱４から吸い込んだ帽子本体内部換気用空気をブロワー３から送風分配箱１１へ送るための送風管。９  本考案帽子１の鍔部分の末端部でエアー・カーテンを作り出す、帽子鍔部用排気管１２の末端にある、上部を斜め下方向に曲線的に曲げた排気口。１０  本考案帽子１の本体部分の末端部でエアー・カーテンを作り出す、帽子本体部用排気管１３の末端にある、吐き出し口を斜め下方向に向けた排気口。１１  ブロワー２及びブロワー３で吸い込んだ空気を、排気管１２と排気管１３と頭頂部に空気を吐き出すための排気穴１４とに、それぞれ分けて送るための送風分配箱。１２  ブロワー２で吸い込んだエアー・カーテン用の空気を送風分配箱１１から受け取り、鍔部分末端の排気口９から吐き出すための、帽子鍔部用排気管。１３  ブロワー２で吸い込んだエアー・カーテン用の空気を送風分配箱１１から受け取り、本体部分末端の排気口１０から吐き出すための、帽子本体部用排気管。１４  ブロワー３で吸い込んだ帽子本体内部換気用空気を頭頂部へ吐き出すための、送風分配箱１１の底に開けた排気穴。１５  エアー・カーテンの内側で、帽子本体内部換気用空気を帽子本体部分の末端部から吐き出し、その排気を胸元の吸気箱から吸い込んで再び帽子本体部へ送り、本体内部を換気してから吐き出して循環させる装置を、備えた本考案帽子１の鍔部分。１６  エアー・カーテンの内側で、帽子本体内部換気用空気を帽子本体部分の末端部から吐き出し、その排気を胸元の吸気箱から吸い込んで再び帽子本体部へ送り、本体内部を換気してか���吐き出して循環させる装置を、備えた本考案帽子１の本体部分。１７  本考案帽子１の本体部分の内側に付いている、布カラー。１８  本考案帽子１の本体部分の内側に付いている布カラー１７の底面部。１９  吸い込んだエアー・カーテン用の空気を帽子鍔部用排気管１２へ送るための、送風分配箱１１の内部の管。２０  吸い込んだエアー・カーテン用の空気を帽子本体部用排気管１３へ送るための、送風分配箱１１の内部の管。２１  吸い込んだ帽子本体内部換気用空気を排気穴１４へ送るための、送風分配箱１１の内部の管。２２  送風管７を接続するための、送風分配箱１１の受け口。２３  送風管８を接続するための、送風分配箱１１の受け口。２４  送風分配箱１１の入口部を曲面にした、もう一つの選択肢としての１１の入口部。２５  送風分配箱１１から空気を受け取る、帽子鍔部用排気管１２の受け口。２６  送風分配箱１１から空気を受け取る、帽子本体部用排気管１３の受け口。２７  帽子本体部用排気管１３の内部空間。２８  頭頂部に吐き出した空気の通り道を確保するための、排気管１３と一体になっているスペーサー。２９  ブロワー２のスイッチ。３０  ブロワー３のスイッチ。３１  本考案帽子１の本体部分１６の内側に付いている、布カラー１７の、立ち上がり部分。３２  本考案帽子１の本体部分１６の周囲すべてに鍔部分１５を付けて、形状をハット型にする場合の、外側ハット部分３３  本考案帽子１の本体部分１６の周囲すべてに鍔部分１５を付けて、形状をハット型にする場合に、本体部分の内側に設置する送風分配箱。３４  本考案帽子１の本体部分１６の周囲すべてに鍔部分１５を付けて、形状をハット型にする場合に用いる、排気管。３５  本考案帽子１の本体部分１６の周囲すべてに鍔部分１５を付けて、形状をハット型にする場合に、送風分配箱３３の底に開ける排気穴。３６  本考案帽子１の本体部分１６の周囲すべてに鍔部分１５を付けて、形状をハット型にする場合に、吸い込んだ空気を排気管３４へ送るための、送風分配箱３３の吐き出し口。３７  本考案帽子１の本体部分１６の周囲すべてに鍔部分１５を付けて、形状をハット型にする場合に、吸い込んだ空気を帽子外縁部の末端から吐き出しエアー・カーテンを作り出す、排気管３４の末端部にある、上部を斜め下方向に曲線的に曲げた排気口。３８  送風管７を接続するための、送風分配箱３３の受け口。３９  送風管８を接続するための、送風分配箱３３の受け口。４０  吸い込んだ空気を排気管３４へ送るための、送風分配箱３３の内部の管。４１  吸い込んだ空気を排気穴３５へ送るための、送風分配箱３３の内部の管。４２  ブロワーを動かすためのバッテリー。４３  ブロワー２とブロワー３とバッテリー４２とを収納するブロワー箱。４４  送風管６と送風管７と送風管８とを支えて、６と７と８のふらつきを抑えるための肩掛け。４５  ブロワーで吸い込んだ空気の流れを表すための、説明用矢印。４６  既存のフード・カバー 
【手続補正２】
【補正対象書類名】実用新案登録請求の範囲
【補正対象項目名】全文
【補正方法】変更
【補正の内容】
【実用新案登録請求の範囲】
【請求項１】
帽子本体部分の一部に鍔を付けたキャップ型帽子の場合は、鍔部分と本体部分の末端部から、帽子本体部分の全周囲に鍔を付けたハット型帽子の場合は、鍔部分の末端部からと、帽子外縁部分の末端部から、フィルターを通して吸い込んだ空気を、横方向に切れ目を作ることなく、斜め下方向へ吐き出し、エアー・カーテンを作り、そのエアー・カーテンの内側で、帽子本体内部を換気するための空気を、帽子本体部分の末端部から真下方向へ吐き出し、その排気を胸元の吸気箱から吸い込んで再び帽子本体部へ送り、本体内部を換気してから吐き出して循環させる装置を、備えた帽子。 
【手続補正３】
【補正対象書類名】図面
【補正対象項目名】全図
【補正方法】変更
【補正の内容】
【図１】
0003231874.tif 000017
【図２】
0003231874.tif 000018
【図３】
0003231874.tif 000019
【図４】
0003231874.tif 000020
【図５】
0003231874.tif 000021
【図６】
0003231874.tif 000022
【図７】
0003231874.tif 000023
【図８】
0003231874.tif 000024
【図９】
0003231874.tif 000025
【図１０】
0003231874.tif 000026
【図１１】
0003231874.tif 000027
【図１２】
0003231874.tif 000028
【図１３】
0003231874.tif 000029
【図１４】
0003231874.tif 000030
【図１５】
0003231874.tif 000031
【図１６】
0003231874.tif 000032
【図１７】
0003231874.tif 000033
【図１８】
0003231874.tif 000034
【図１９】
0003231874.tif 000035
【図２０】
0003231874.tif 000036
【手続補正書】
【提出日】令和3年3月4日(2021.3.4)
【手続補正１】
【補正対象書類名】実用新案登録請求の範囲
【補正対象項目名】全文
【補正方法】変更
【補正の内容】
【実用新案登録請求の範囲】
【請求項１】
吸気箱の外側に向く面にフィルターを設置した吸気箱と、該吸気箱と吸気管を介して連結されたブロワーと、ブロワーの外側に向く面にフィルターを設置した別のブロワーと、２つの該ブロワーと２つの別の吸気管を介して連結された送風分配箱と、該送風分配箱に連結された排気管及び排気口を備える帽子であって、前記送風分配箱と、送風分配箱に連結された排気管と排気口が帽子本体部分に設けられており、帽子本体部分の一部に鍔を付けたキャップ型帽子の場合は、鍔部分と本体部分の末端部から、帽子本体部分の全周囲に鍔を付けたハット型帽子の場合は、鍔部分の末端部からと、帽子外縁部分の末端部から、フィルターを通して吸い込んだ空気を、横方向に切れ目を作ることなく、斜め下方向へ吐き出し、エアー・カーテンを作り、そのエアー・カーテンの内側で、帽子本体内部を換気するための空気を、帽子本体部分の末端部から真下方向へ吐き出し、その排気を胸元の吸気箱から吸い込んで再び帽子本体部へ送り、本体内部を換気してから吐き出して循環させるように構成された帽子。